(57)【要約】【課題】経済的に鉄イオンを溶出することができるコンクリートブロックを提供する。【解決手段】コンクリートブロック１と、このコンクリート製のブロックの表面に取り付ける鋼製の有孔板体２とで構成する。海中に設置することで、コンクリート製のブロックの周囲に取り付けた鋼製の有孔板体２と海水の反応によって、有孔板体２から鉄イオンを発生させる。【選択図】図１
2019208463.tif 000002
【特許請求の範囲】
【請求項１】
コンクリートブロックと、
このコンクリート製のブロックの表面に取り付ける鋼製の有孔板体とで構成し、
海中に設置することで、コンクリート製のブロックの周囲に取り付けた鋼製の有孔板体と海水の反応によって、有孔板体から鉄イオンを発生させるように構成したことを特徴とする、
鉄イオン溶出ブロック。
【請求項２】
コンクリートブロックと、
このコンクリート製のブロックの表面に取り付ける鋼製の有孔板体とで構成し、
有孔板体で構成した型枠内にコンクリートを打設して一体化し、
これを海中に設置することで、コンクリート製のブロックの周囲に取り付けた鋼製の有孔板体と海水の反応によって、有孔板体から鉄イオンを発生させるように構成したことを特徴とする、
鉄イオン溶出ブロック。
【発明の詳細な説明】
【技術分野】
【０００１】
本発明は鉄イオン溶出ブロックに関するものである。
【背景技術】
【０００２】
明治時代中頃からこのような藻場が大規模に消失する「磯焼け」と呼ばれる現象が全国各地で発生し、水産業に影響を及ぼしてきたが、特に近年はその面積が拡大傾向にある。
従来は豊かな腐葉土がある広葉樹の森で、フルボ酸という腐食酸と土壌中の二価鉄イオンが結びつき、「フルボ酸鉄」という錯体となって、川から海に運ばれて海藻や植物プランクトンに届けられていた。
しかし現在は、ダムや河川の改修工事、手入れの行き届かなくなった人工林の増加など、様々な阻害要因でこのシステムが機能しなくなり、生態系が鉄欠乏の状態にあると考えられている。
このような森に代わって、海に鉄分を供給する手助けをする取り組みが知られている。
【先行技術文献】
【特許文献】
【０００３】
【特許文献１】特開２００２−３０６０１７号公報。
【特許文献２】実用新案登録第３０７２９４２号公報。
【発明の概要】
【発明が解決しようとする課題】
【０００４】
上記の特許文献１記載の発明は、セメントと骨材以外に、第一鉄イオンを主成分とするミネラル分を含むイオン水を混練して特殊なコンクリートを製造し、そのコンクリートによって所定の形状のブロックを成型するものである。
一方、特許文献２記載の発明は、枠状の漁礁ブロック内に鉄製の石詰め籠を懸架して、石詰めかごから溶出する鉄イオンによって海藻類の育成を促進する構造である。
しかし上記のような従来の鉄イオン溶出ブロックにあっては、次のような問題点がある。
＜１＞  特許文献１に示すような特殊な配合のコンクリートは、製造コストが上昇して経済的ではない。
＜２＞  特許文献２に示す構造は、コンクリート製の枠体内に鉄製の籠を吊り下げるという複雑な構造であり、やはり経済的に製造することは困難である。
【課題を解決するための手段】
【０００５】
上記のような課題を解決する本発明の鉄イオン溶出ブロックは、コンクリートブロックと、このコンクリート製のブロックの表面に取り付ける鋼製の有孔板体とで構成し、海中に設置することで、コンクリート製のブロックの周囲に取り付けた鋼製の有孔板体と海水の反応によって、有孔板体から鉄イオンを発生させるように構成したことを特徴としたものである。
【発明の効果】
【０００６】
本発明の鉄イオン溶出ブロックは上記のような構造であるため、次のような効果のいずれかを得ることができる。
＜１＞  本発明のブロックを海中に設置すると、その表面の鋼製の有孔板体の鉄イオンが溶出して、効率的な鉄イオンの溶出を長期にわたり持続させることができる。
＜２＞  ブロックの表面を有孔板で被覆した結果、多数の凹凸が形成されるから、海中で多くの生物が付着し、育成することができる。
＜３＞  特殊な配合のコンクリートを使用せず、どこでも入手できる既成のコンクリートブロクを使用するから、経済的に製造することができる。
＜４＞  特殊な形状を与える必要がなく、コンクリートブロックの他に鉄製の籠を設置するといった複雑な構造を採用していないから、経済的に製造することができる。
【図面の簡単な説明】
【０００７】
【図１】本発明の鉄イオン溶出ブロックの実施例の説明図。
【発明を実施するための形態】
【０００８】
以下図面を参照にしながら本発明の鉄イオン溶出ブロックの好適な実施の形態を詳細に説明する。
【実施例】
【０００９】
＜１＞全体の構成。
本願発明の鉄イオン溶出コンクリートブロックは、既成のコンクリートブロック１と、鋼製の有孔の板体で構成する。
【００１０】
＜２＞コンクリートブロックの形状。
本願発明を構成するコンクリートブロック１とは、一般に消波ブロック、根固めブロックなどと呼ばれる、塩分や波浪に対する耐久性の高いブロックであり、海岸沿いに多数の大型ブロックをかみ合わせて並べることで、波のエネルギーを減衰・消散させる目的で製造されている。
これらのブロック１は、クレーンで積み上げるという施工性の容易さも評価されている。
ブロック１は波のエネルギーに抵抗するため、単体でも重量は１トンから８０トンと大きいのが特徴である。
ブロック１の形状はかみ合わせを考慮し、四脚ブロック、六脚ブロック、八脚ブロック、中空三角ブロック、ドーム型等様々なものがある。
例えば「日本消波根固ブロック協会」の資料によれば、立体型、平面型、階段型、直積み型、函塊型、などに分類されているが、そのいずれのブロック１も本願発明の対象として使用することができる。
このように多数の形状が存在するのは、型枠を制作する会社毎にバリエーションが異なること、波や河川の水流の強さなどで適した形状を選択した結果である。
【００１１】
＜３＞コンクリートブロックの製造。
これらのコンクリートブロック１の製作は、鋼製の型枠のリースを受け、現場周辺で型枠にコンクリートを流し込み製作する方法が一般的である。
他のコンクリートブロック１のように工場製作しないのは、大量生産によるコストダウンのメリット以上に輸送にコストがかかるためである。
しかし本願発明の対象とするコンクリートブロック１は工場生産の場合も想定され、それらを除外するものではない。
コンクリートブロック１は、上記のように市販の既成品を採用することができるが、後述する有孔板体２を型枠として、その内部にコンクリートを投入して有孔板体２とをコンクリートとを一体とした形状に製造することもできる。
【００１２】
＜４＞有孔板体。
本願発明に使用する鋼製の有孔板体２は、鋼板に切り込みを入れた有孔板、金網、エキスパンドメタル、パンチメタルなどで構成する。
エキスパンドメタルは、鋼板に同一方向の多数のスリットを入れて一方に引き伸ばすことで製造することができる。
この有孔板体２は、メッキなどの保護層を持たない、鋼材の面がそのまま露出している板体が望ましいが、特に塩害の対策を施していない一般の金網などの有孔板体２を使用することができる。
【００１３】
＜５＞本願発明のブロックの製造。
上記した消波ブロックなどと呼ばれている既成のコンクリートブロック１の周面に、鋼製の有孔板体２を取り付ける。
その取り付けは、例えばコンクリートブロック１にナット４を埋設しておき、あるいは後から設置して、取り付け用のプレート３で有孔板体２をブロックの表面に挟んで、有孔板体２の外側からボルトをナット４に螺入することで簡単に取り付けることができる。
その結果、コンクリートブロック１全体の表面は、鋼製の有孔板体２で被覆されていることになる。
平面的な鋼製の板を取り付けるのではなく、あえて孔を開設した有孔板体２を取り付ける理由は、コンクリートブロック１の表面にできるだけ多数の凹凸を形成するためである。
この凹凸は正確に言えばコンクリート自体の凹凸ではないが、コンクリートブロック１の表面にほぼ密着して有孔板体２が存在するために、海中においてはコンクリートの表面自体の凹凸と同等の効果を期待することができる。
あるいは上記したように、市販の既成のコンクリートブロック１を採用するのではなく、前記した有孔板体２で容器を組み立ててそれを型枠として、その内部にコンクリートを投入して一体に製造することもできる。その場合には型枠としての有孔板体２は解体せず一体化しておく。
その場合に、有孔の板体であっても、孔の形状、骨材のサイズ、コンクリートの水セメント比の選択によって、コンクリートの孔からの流出を阻止することができる。
【００１４】
＜６＞海底への設置。
上記した、有孔板体２で周囲を包囲したコンクリートブロック１をクレーン船、陸上からのクレーンなどを使用して海底に設置する。
前記したようにブロック１の形は、複数基を立体的に強固に組み上げ得るように設計してあるが、施工性や目的により最初から組み上げない「乱積み」をすることもある。
【００１５】
＜７＞鉄イオンの溶出。
コンクリートブロック１の表面のほとんどの範囲は鋼製の有孔板体２で包囲しているので、その鋼製の有孔板体２と海水が反応して鉄イオンが溶出する。
すなわち、鉄あるいは鉄化合物を海水中において酸化させると微細な酸化鉄となり、さらに紫外線の作用により鉄イオンを生成するものである。
その鉄イオンが植物プランクトンを増殖させ、その結果植物プランクトンを餌とする海藻を増殖させるという機能を達成できる。
このように、海中での時間の経過と共に鉄製の有孔板体２が徐々に酸化して鉄イオンを放出するので、魚類が好む餌料となるアラメやカジメ、ホンダワラなどの褐藻類の生育を促進することができる。
【００１６】
＜８＞ヘドロを改善する効果。
海底に表面を鋼製の有孔板体２で被覆したコンクリートブロック１を設置することで鉄イオン、すなわちフルボ酸鉄が溶出される。
この鉄イオンは、悪臭および生物の有害となる硫化水素イオンと反応し無害な硫化鉄となり、硫化水素の発生を抑制する。
このように硫化水素の発生を抑制することで、底生生物の生息しやすい環境が形成され、生物量や生物の多様性が向上する。
また、溶出した鉄イオンは、珪藻などの植物プランクトンに取り込まれることで付着珪藻を増加させる。
その結果、付着珪藻を捕食する底生生物や、巻き上がった付着珪藻を捕食する二枚貝などの成長促進が期待される。
【００１７】
＜９＞水質を改善する効果。
コンクリートブロック１の表面の鋼製の有孔板体２から溶出した鉄イオン、すなわちフルボ酸鉄は、水中の植物プランクトンに取り込まれることで珪藻類が増加する。
増加した植物プランクトンが水中の無機窒素やリンを取り込むことで、水中の無機態窒素やリンが減少するという機能を期待することができる。
【００１８】
＜１０＞生物の付着。
本発明のコンクリートブロック１の表面は平滑な面ではなく、有孔板体２の孔に凹凸があり、あるいは有孔板体２を型枠として使用した場合には孔からコンクリートの一部が流出して不規則な凸部を形成している。
そのために、植物プランクトンの付着が容易となり、そのプランクトンを好んで多くの種類の魚が集まってくる、という効果を期待できる。
【符号の説明】
【００１９】
１：コンクリートブロック
２：有孔板体
３：取り付けプレート
【図１】
2019208463.tif 000003